(57)【要約】      （修正有）【課題】従来の外皮内にゴム風船を装入したタイプのボールの問題点を解決した同タイプのボールを提供する。【解決手段】外皮１２を非伸縮性で可撓性の材料で形成し、内部にゴム風船２０を装入し、外皮１２の一部に設けた挿入口１４よりゴム風船の空気吹き込み部２２を突出させて、そこから空気を吹き込むことにより膨らみボール状態となる、外皮内にゴム風船を収納したボールにおいて、挿入口１４を形成する外皮１２の一対の縁部のうち一方の縁部にこれと一体的に、外皮の素材と同素材で挿入口を封鎖するための舌状部を設けたことを特徴とする。【選択図】図２
0003103331.tif 000002
【実用新案登録請求の範囲】
【請求項１】
外皮を非伸縮性で可撓性の材料で形成し、内部にゴム風船等の気体を内部に充填することにより膨らむ膨張体を装入し、外皮の一部に設けた挿入口より、膨張体の気体吹き込み部を突出させて、そこから気体を吹き込むことにより膨らみボール状態となる、外皮内に膨張体を収納したボールにおいて、前記挿入口を形成する前記外皮の一対の縁部のうち一方の縁部にこれと一体的に、前記外皮の素材と同素材で前記挿入口を封鎖するための舌状部を設けたことを特徴とする、外皮内に膨張体を収納したボール。
【請求項２】
前記外皮が、布、ボア、ナイロン系、ビニール系などの素材の一種以上から形成されている請求項１のボール。
【請求項３】
前記外皮に前記挿入口が複数形成され、それぞれに同挿入口を封鎖するための舌状部を設けた請求項１または２のボール。
【請求項４】
膨らんだときの前記外皮の形状が動物やキャラクターの形状や縫製となっている請求項１〜３のいずれかのボール。
【請求項５】
前記外皮の外部または内部、あるいは前記膨張体内部に音発生体を設けた請求項１〜４のいずれかのボール。
【請求項６】
前記外皮を構成するセグメントが、膨らんだときの前記外皮の形状である動物やキャラクターの形状に合わせて裁断されたものであり、そのセグメントを縫製等により接合して外皮が形成されている請求項４のボール。
【請求項７】
前記膨張体の気体吹き込み口を縛ることなく、内部の気体が漏れることのないように閉じる閉じ部材を更に備えた請求項１〜６のいずれかのボール。
【考案の詳細な説明】
【技術分野】
【０００１】
本考案は、ボール、特に運動・遊技用ボールに関するものである。更に詳細には、外皮内にゴム風船等の膨張体（以下、単にゴム風船という）を収納したボールに関するものである。
【背景技術】
【０００２】
空気入り型の通常の運動・遊技用ボール、例えばバレーボール用ボール、ラグビーボール用ボール、ビーチバレー用ボール、サッカーボール、バスケットボール用ボールは、投げられ、蹴られ、バウンドされ、とボールは非常に乱暴な扱いを受けるが、これに耐えることができるような構成になっている。
そのため、堅牢に作られているので、大人にとっては過度に重いものではないが、子供達には取り扱いが困難な重いものとなってしまう。
更に、例えば、通常のバレーボールでは、突き指を起こしやすい。
ところで、おもちゃやゲーム産業では、長い間、幼い子供に対して、軽く、柔らかく、潜在的な危険の無いボールが必要であると認識されてきた。従って、ポリウレタンフォーム材料や他の軽量な圧縮性のプラスチックでモールドされた種々の形状や寸法のボールは、現在市場入手可能である。
そのようなボールは、未就学児にとって安全で、もしボールが他の児童の体に向かって強く投げつけられたとしても、危害を及ぼさないとはいえ、それらは、大人によって使用されている型の実際の競技ボールに似たように見えるボールに対して、子供特有の欲望を満足させることができない代用品である。
【０００３】
そこで、実開平６−３３６０において、
「（ａ）十分に広げられたとき、所望の遊技ボール形状となる、非伸縮性の、可撓性の布材料からなる外側ケースであって、該ケースは、ケース内にそのふくらんでいない状態でふくらむことが可能な空気袋を挿入可能なように、小さい閉じることが可能な開口をもつ、外側ケースと、
（ｂ）空気通過ステムをもつ薄いゴム表面で形成された風船の形の口でふくらまし可能の空気袋であって、ステムは、最初に前記開口を通して突出し、それから、ケースの外側で、風船がケースの内表面にフィットし一致し、かつボールに高いバウンド特徴を授ける内部空気圧力を与えるまで、ケース内での風船の口ふくらましを可能にし、その後、ステムは結びつけられ、ケース内に押し込められ、開口が閉じられ、それによって、ふくらまされた風船は外側ケースによって十分に包まれ、その部分は、ボールがバウンドしたとき、そこから押し出されない、空気袋と
を有する空気入り遊技ボール。」
が提案された。
しかしながら、この考案によるボール外皮の挿入口は、ファスナーまたはジッパーで閉じられるようになっているので、その部分だけ、手触り感等が異なり運動中や遊技中に違和感があったり、指がぶつかって痛みが生ずる等の問題やデザイン性の欠如といった問題がある。
【考案の開示】
【考案が解決しようとする課題】
【０００４】
そこで、本考案は、上記の従来のボールの問題点を解決した外皮内にゴム風船を収納したボールを提供することを目的とする。
【課題を解決するための手段】
【０００５】
上記の課題は、本考案の下記構成（１）〜（７）のいずれかの外皮内にゴム風船を収納したボールにより達成される。
（１）  外皮を非伸縮性で可撓性の材料で形成し、内部にゴム風船等の気体を内部に充填することにより膨らむ膨張体を装入し、外皮の一部に設けた挿入口より、膨張体の気体吹き込み部を突出させて、そこから気体を吹き込むことにより膨らみボール状態となる、外皮内に膨張体を収納したボールにおいて、前記挿入口を形成する前記外皮の一対の縁部のうち一方の縁部にこれと一体的に、前記外皮の素材と同素材で前記挿入口を封鎖するための舌状部を設けたことを特徴とする、外皮内に膨張体を収納したボール。
（２）  前記外皮が、布、ボア、ナイロン系、ビニール系などの素材の一種以上から形成されている上記（１）のボール。
（３）  前記外皮に前記挿入口が複数形成され、それぞれに同挿入口を封鎖するための舌状部を設けた上記（１）または（２）のボール。
（４）  膨らんだときの前記外皮の形状が動物やキャラクターの形状となっている上記（１）〜（３）のいずれかのボール。
（５）  前記外皮の外部または内部、あるいは前記膨張体内部に音発生体を設けた上記（１）〜（４）のいずれかのボール。
（６）
前記外皮を構成するセグメントが、膨らんだときの前記外皮の形状である動物やキャラクターの形状に合わせて裁断されたものであり、そのセグメントを縫製等により接合して外皮が形成されている上記（４）のボール。
（７）
前記膨張体の気体吹き込み口を縛ることなく、内部の気体が漏れることのないように閉じる閉じ部材を更に備えた上記（１）〜（６）のいずれかのボール。
【考案を実施するための最良の形態】
【０００６】
以下、添付図面を参照しつつ、本考案の実施の形態による外皮内にゴム風船を収納したボール（以下単にボールと称する）について説明する。
本実施の形態によるボール１０は、非伸縮性で可撓性の材料で形成された外皮１２、およびこの外皮１０内に装入され、該内部で膨らまされるゴム風船２０を備えている。
上記外皮は、布、ボア、ナイロン系、ビニール系などの素材のうちの一種から形成されていることが望ましい。これにより、本ボールは、縫製でき、あらゆる形状に適用でき、キャラクターの特徴や季節感を素材感で表現したりすることができる。
【０００７】
上記外皮１２の一部には、その内部にゴム風船２０を挿入するための挿入口１４が設けられている。ゴム風船２０は、挿入口１４から外皮１２内に空気吹き込み部２２を残した状態、すなわち空気吹き込み部２２を外皮１２外部に突出させた状態で挿入され、この状態で上記空気吹き込み部２２から空気を吹き込んで、外皮１２ひいてはボール１０を膨らませた状態とする。
【０００８】
本外皮１２においては、上記挿入口１４を形成する該外皮の一対の縁部１６ａ、１６ｂのうち一方の縁部（ここでは説明のため、縁部１６ａとする）にこれと一体的に、該外皮の素材と同素材で上記挿入口１４を封鎖するための舌状部１８が設けられている。この舌状部１８は、図１（ａ）、（ｂ）、図２（ａ）、（ｂ）に示したような態様で、すなわち反対側の縁部１６ｂ側の外皮の下に挿入口１４から離れる方向に延びるような態様で該挿入口１４を封鎖する。この状態で、舌状部１８は、膨らんだゴム風船２０により外皮１４に押し付けられるので、挿入口の封鎖をしっかり維持できる。
【０００９】
この構造により、以下のような作用・効果がある。
１）「ベロ」式で挿入口１４を容易に開閉できる。
２）舌状部１８により風船の結び目２４を押して、簡単に外皮内部に収納できる。従って、風船の結び目２４が運動や遊技の邪魔にならない。
３）使用時に、指等が挿入口に引っかかってしまうような事態が少なくなる。従って、遊びやすく、機能性を損ねない。
４）シンプルな構造で、しかも外皮と舌状部が同素材で形成されているので、外観を損ねず、また運動や遊技をしているときに、指の感触等に違和感がない。また、シンプルな構造であるので、ファスナー、ジッパー、マジックテープ等の仕様に比べると製造原価を抑えられ、またこれらを特別に準備する必要がない。
【００１０】
上記舌状部１８は、図３の（ａ），（ｂ），（ｃ）に示したように矩形、逆台形、円の一部等の形状とすることができる。
また、本ボールは、図４（ａ）、（ｂ）、図５（ａ）、（ｂ）に示したように、耳や鼻を設けて、外皮形状により動物やキャラクターの特徴を表現することができる。更には、図７に示したように、外皮１２を構成するセグメント１２ａ、１２ｂの形状を、キャラクター等の形状を損ねないような形状のものとし、これらを縫製等により接合して外皮を構成することが望ましい。図に示したものでは、セグメント１２ａの形状を、キャラクターの顔に合わせて円形にしたものを示した。
更にまた、本ボールは、例えばボール形状をラグビーボールのように長いもの等の場合に最適なのだが、上記外皮１２に挿入口が複数（１４−１，１４−２）形成され、それぞれに同挿入口を封鎖するための舌状部１８−１，１８−２を設けてもよい。この場合、上記実開平６−３３６０号の図４に示された特殊な形状のゴム風船を準備することなく、通常のゴム風船を使えて実用的である。
【００１１】
上の例では、挿入口を２つ設けた例を説明したが、ボールの機能を損なわない限り３つ以上であっても良い。また、丸い外皮を透明体で作り、挿入口を２つ以上設け、そこから異なった色のゴム風船を挿入して膨らませばカラフルなボールとなる。
更にまた、本ボールには、運動や遊技中に該ボールに作用したとき音を発する例えば鈴等の音発生体を、上記外皮の外部または内部、あるいは上記ゴム風船内部等に設けることも望ましい。
本考案のボールは、図８に示したように、上記膨張体の気体吹き込み口を縛ることなく、内部の気体が漏れることのないように閉じる閉じ部材３０を更に備えていることが好ましい。これにより、上記気体吹き込み口の開閉が容易に行えるようになり、内部への空気の補充が容易になる。なお、上記閉じ部材は、プラスチックやシリコーンゴム等で形成するのが好ましく、形状もまた、外皮形状になじむ形とすることが好ましい。
【図面の簡単な説明】
【００１２】
【図１】本考案の一実施の形態によるボールの断面図であり、（ｂ）は（ａ）の円で囲んだ部分を拡大して示した図である。
【図２】図１に示したボールにおける挿入口を舌状部で封鎖する手順を説明するための図である。
【図３】上記舌状部の形状例を示す図である。
【図４】ボールの変形例を示す図である。
【図５】ボールの他の変形例を示す図である。
【図６】ボールに２つの挿入口を設けた例の一部断面図である。
【図７】外皮のセグメントの形状の一例を示した図、およびそれらのセグメントを接合して形成した外皮の形状を示す図である。
【図８】ゴム風船の閉じ部材の一例を示す図である。
【符号の説明】
【００１３】
１０  ボール
１２  外皮
１４  挿入口
１６ａ，ｂ  縁部
１８  舌状部
２０  ゴム風船
２２  空気吹き込み部
２４  結び目
【図１】
0003103331.tif 000003
【図２】
0003103331.tif 000004
【図３】
0003103331.tif 000005
【図４】
0003103331.tif 000006
【図５】
0003103331.tif 000007
【図６】
0003103331.tif 000008
【図７】
0003103331.tif 000009
【図８】
0003103331.tif 000010